(57)【要約】【課題】  内部と外部の気体の出入りが抑制され、かつ送風手段のない減圧貯蔵室内における脱臭及び／又は除菌を効率的に行うことができる冷蔵庫を提供することを目的とする。【解決手段】  開口４０ｆを有する貯蔵室２４と、該貯蔵室２４の前記開口４０ｆを開閉し且つ前記開口４０ｆを閉じた場合に前記貯蔵室２４の内部と外部の気体の移動を抑制する蓋６０と、前記貯蔵室２４内を大気圧より低い圧力に減圧する減圧手段２９と、を備えた冷蔵庫において、前記貯蔵室２４の内壁及び／又は前記蓋６０の内面に光触媒が設けられ、前記貯蔵室２４が減圧された場合に、前記貯蔵室２４に収納した食品から放出された水分が前記貯蔵室２４内を高湿に保つことを特徴とする。【選択図】図２
2010121834.tif 000002
【特許請求の範囲】
【請求項１】
開口を有する貯蔵室と、該貯蔵室の前記開口を開閉し且つ前記開口を閉じた場合に前記貯蔵室の内部と外部の気体の移動を抑制する蓋と、を備えた冷蔵庫において、
前記貯蔵室の内壁及び／又は前記蓋の内面に光触媒が設けられたことを特徴とする冷蔵庫。
【請求項２】
開口を有する貯蔵室と、該貯蔵室の前記開口を開閉し且つ前記開口を閉じた場合に前記貯蔵室の内部と外部の気体の移動を抑制する蓋と、前記貯蔵室内を大気圧より低い圧力に減圧する減圧手段と、を備えた冷蔵庫において、
前記貯蔵室の内壁及び／又は前記蓋の内面に光触媒が設けられ、前記貯蔵室が減圧された場合に、前記貯蔵室に収納した食品から放出された水分が前記貯蔵室内を高湿に保つことを特徴とする冷蔵庫。
【請求項３】
請求項２において、前記貯蔵室及び／又は前記蓋の少なくとも一部が光透過性素材で構成され、該光透過性素材で構成された部分に前記光触媒が設けられたことを特徴とする冷蔵庫。
【請求項４】
請求項３において、前記貯蔵室の外部に前記光透過性素材で構成された部分に紫外線を含む光を照射する光源が設けられたことを特徴とする冷蔵庫。
【請求項５】
大気圧より低い圧力に減圧される減圧貯蔵室と、該減圧貯蔵室の前部に設けられた開口と、該開口を開閉する蓋と、該蓋と前記減圧貯蔵室の前記開口との間に設けられて該蓋が前記開口を閉じた場合に前記減圧貯蔵室の内部と外部の気体の移動を抑制するシール部材と、前記減圧貯蔵室内を大気圧より低い圧力に減圧する減圧手段と、前記減圧貯蔵室が設けられた冷蔵室と、
を備えた冷蔵庫において、
前記減圧貯蔵室の外部に設けられて前記蓋に紫外線を含む光をパルス照射する第一の光源と、前記減圧貯蔵室の外部に設けられて前記減圧貯蔵室の上壁に紫外線を含む光をパルス照射する第二の光源と、を備え、
前記減圧貯蔵室の上壁及び前記蓋はガラス又は光を透過する樹脂で構成され、前記減圧貯蔵室の内壁及び前記蓋の内面に光触媒が塗布され、前記減圧貯蔵室が減圧された場合に、前記減圧貯蔵室に収納した食品から放出される水分で前記減圧貯蔵室内の湿度を高くすることを特徴とする冷蔵庫。
【請求項６】
請求項４又は５において、前記光源はパルス照射することを特徴とする冷蔵庫。
【発明の詳細な説明】
【技術分野】
【０００１】
本発明は、冷蔵庫に関する。
【背景技術】
【０００２】
従来、冷蔵庫内の空気の脱臭や除菌を行うものとして、特許文献１に示す冷蔵庫がある。特許文献１に記載の冷蔵庫は、光触媒反応表面に対して所定の可視光を照射する発光ダイオード（以下「ＬＥＤ」という）を備えた脱臭装置を、冷蔵庫の壁面に据付けたものである。
【０００３】
【特許文献１】特開平９−９４１号公報
【発明の開示】
【発明が解決しようとする課題】
【０００４】
しかし、上記従来技術においては、通風することで光触媒反応表面と悪臭成分や雑菌との接触効率を高め、脱臭及び／又は除菌を行うことが前提であった。
【０００５】
具体的に、臭気成分や雑菌は、光触媒に吸着後に分解反応が起こる。しかし、ラジカル反応が発熱源となって、臭気成分や雑菌が光触媒反応表面へ吸着することが妨げられることがある。そこで、従来技術においては、臭気成分の分解や雑菌の除去機能が有効に発現できなくなることを防止するために、通風手段が必要であった。
【０００６】
そうすると、上記従来技術では、大気圧より低い圧力状態に減圧するために、内部と外部との気体の移動が抑制される減圧貯蔵室、すなわち、送風手段のない貯蔵室の場合、十分な脱臭除菌効果が発揮できない、という問題があった。
【０００７】
本発明の目的は、内部と外部の気体の出入りが抑制され、かつ送風手段のない減圧貯蔵室内における脱臭及び／又は除菌を効率的に行うことができる冷蔵庫を提供することである。
【課題を解決するための手段】
【０００８】
上記目的を達成するために、本発明の冷蔵庫は、開口を有する貯蔵室と、該貯蔵室の前記開口を開閉し且つ前記開口を閉じた場合に前記貯蔵室の内部と外部の気体の移動を抑制する蓋と、を備えた冷蔵庫において、前記貯蔵室の内壁及び／又は前記蓋の内面に光触媒が設けられたことを特徴とする。
【０００９】
また、開口を有する貯蔵室と、該貯蔵室の前記開口を開閉し且つ前記開口を閉じた場合に前記貯蔵室の内部と外部の気体の移動を抑制する蓋と、前記貯蔵室内を大気圧より低い圧力に減圧する減圧手段と、を備えた冷蔵庫において、前記貯蔵室の内壁及び／又は前記蓋の内面に光触媒が設けられ、前記貯蔵室が減圧された場合に、前記貯蔵室に収納した食品から放出された水分が前記貯蔵室内を高湿に保つことを特徴とする。
【００１０】
また、前記貯蔵室及び／又は前記蓋の少なくとも一部が光透過性素材で構成され、該光透過性素材で構成された部分に前記光触媒が設けられたことを特徴とする。
【００１１】
また、前記貯蔵室の外部に前記光透過性素材で構成された部分に紫外線を含む光を照射する光源が設けられたことを特徴とする。
【００１２】
また、大気圧より低い圧力に減圧される減圧貯蔵室と、該減圧貯蔵室の前部に設けられた開口と、該開口を開閉する蓋と、該蓋と前記減圧貯蔵室の前記開口との間に設けられて該蓋が前記開口を閉じた場合に前記減圧貯蔵室の内部と外部の気体の移動を抑制するシール部材と、前記減圧貯蔵室内を大気圧より低い圧力に減圧する減圧手段と、前記減圧貯蔵室が設けられた冷蔵室と、を備えた冷蔵庫において、前記減圧貯蔵室の外部に設けられて前記蓋に紫外線を含む光をパルス照射する第一の光源と、前記減圧貯蔵室の外部に設けられて前記減圧貯蔵室の上壁に紫外線を含む光をパルス照射する第二の光源と、を備え、前記減圧貯蔵室の上壁及び前記蓋はガラス又は光を透過する樹脂で構成され、前記減圧貯蔵室の内壁及び前記蓋の内面に光触媒が塗布され、前記減圧貯蔵室が減圧された場合に、前記減圧貯蔵室に収納した食品から放出される水分で前記減圧貯蔵室内の湿度を高くすることを特徴とする。
【００１３】
また、前記光源はパルス照射することを特徴とする。
【発明の効果】
【００１４】
本発明の冷蔵庫によれば、内部と外部の気体の出入りが抑制され、かつ送風手段のない減圧貯蔵室内における脱臭及び／又は除菌を効率的に行うことができる冷蔵庫を提供することができる。
【発明を実施するための最良の形態】
【００１５】
以下、本発明の一実施形態の冷蔵庫について、図を用いて説明する。
【００１６】
まず、図１から図４を参照しながら冷蔵庫の全体構成に関して説明する。図１は、本実施形態の冷蔵庫の中央縦断面図である。図２は、図１の冷蔵室の最下段空間部分の断面斜視図である。図３は、減圧貯蔵室の蓋を閉じた状態の外観斜視図である。図４は、減圧貯蔵室本体の蓋を開いた状態の斜視図である。
【００１７】
冷蔵庫は、前方に開口を有する冷蔵庫本体１、該冷蔵庫本体１の前方開口を開閉自在に設けられた扉６〜１０を備えて構成される。冷蔵庫本体１は、鋼板製の外箱１１と樹脂製の内箱１２との間に、ウレタン発泡断熱材１３及び真空断熱材（図示せず）を有して構成される。また、上から冷蔵室２，上段冷凍室３ｂ及び製氷室３ａ（図示せず），下段冷凍室４，野菜室５の順に、複数の貯蔵室を有している。換言すれば、最上段に冷蔵室２，最下段に野菜室５がそれぞれ区画して配置されており、冷蔵室２と野菜室５との間には、これらの両室と断熱的に仕切られた上段冷凍室３ａ及び下段冷凍室４が配置されている。冷蔵室２及び野菜室５は、冷蔵温度帯（０℃以上であって、一例として約２℃〜１０℃の温度帯）の貯蔵室である。上段冷凍室３ａ及び下段冷凍室４は、冷凍温度帯（０℃以下であって、一例として約−２０℃〜−１８℃の温度帯）の貯蔵室である。これらの貯蔵室２〜５は、仕切り壁３３，３４，３５によって区画されている。
【００１８】
冷蔵庫本体１の前面には、貯蔵室２〜５の前面開口を開閉自在である扉６〜１０が設けられている。冷蔵室扉６は、左扉と右扉の２枚設けられた、いわゆるフレンチドアタイプの回転扉である。具体的に、左扉は冷蔵庫本体１の左方上下のヒンジ６ａ，６ａによって回転自在に設けられ、右扉は冷蔵庫本体１の左方上下のヒンジ（図示せず）によって回転自在に設けられ、冷蔵室２の前面開口を開閉する。
【００１９】
製氷室扉７（図示せず）は、製氷室３ａの前方開口を開閉する扉である。上段冷凍室扉８は、上段冷凍室３ｂの前方開口を開閉する扉である。下段冷凍室扉９は、下段冷凍室４の前方開口を開閉する扉である。野菜室扉９は、野菜室５の前方開口を開閉する扉である。なお、製氷室扉７，上段冷凍室扉８，冷凍室扉９、及び野菜室扉１０は、引き出し式の扉によって構成され、引き出し扉とともに貯蔵室内の容器が引き出される。
【００２０】
次に、冷蔵庫本体１には、冷凍サイクルが設けられている。この冷凍サイクルは、圧縮機１４，凝縮器（図示せず），キャピラリチューブ（図示せず）及び冷却器１５、そして再び圧縮機１４の順に接続して構成されている。圧縮機１４及び凝縮器は、冷蔵庫本体１の背面下部に設けられた機械室１００に設置されている。冷却器１５は、製氷室３ａ，上段冷凍室３ｂ、及び下段冷凍室４の後方に設けられた冷却器室１１０に設置され、この冷却器室１１０における冷却器１５の上方に送風ファン１６が設置されている。
【００２１】
冷却器１５によって冷却された冷気は、送風ファン１６によって冷蔵室２，上段冷凍室３ｂ，製氷室３ａ，下段冷凍室４、及び野菜室５の各貯蔵室へと送られる。具体的には、送風ファン１６によって送られる冷気は、開閉可能なダンパー装置（図示せず）を介して、その一部が冷蔵室２及び野菜室５の冷蔵温度帯の貯蔵室へと送られ、他の一部が冷凍室３（上段冷凍室３ｂ及び製氷室３ａ）、及び下段冷凍室４の冷凍温度帯の貯蔵室へと送られる。
【００２２】
送風ファン１６によって冷蔵室２，上段冷凍室３ｂ，製氷室３ａ，下段冷凍室４、及び野菜室５の各貯蔵室へと送られた冷気は、各貯蔵室を冷却した後、夫々の冷気戻り通路（図示せず）を通って冷却器室１１０へと戻される。このように、本実施形態の冷蔵庫は、冷気の循環構造を有しており、各貯蔵室２〜５を適切な温度に維持する。
【００２３】
冷蔵室２内には、透明な樹脂板で構成される複数段の貯蔵棚１７〜２０が取り外し可能に上下方向に設置されている。最下段の貯蔵棚２０は、内箱１２の背面及び両側面に接するように設置され、仕切り壁３４と貯蔵棚２０との間に、最下段空間２１を上方空間と区画して形成している。また、各冷蔵室扉６の内側には、複数段の扉ポケット２５〜２７が設置され、これらの扉ポケット２５〜２７は冷蔵室扉６が閉じられた場合に、冷蔵室２内に突出するように設けられている。冷蔵室２の背面には、送風ファン１６から供給された冷気を通す通路を形成する背面パネル３０が設けられている。この背面パネル３０は、高熱伝導性の材料で形成されており、一例としてアルミニウム等の金属で形成される。これにより、冷蔵室２の温度変化を抑制し、貯蔵した食品に与える温度変化による負荷を低減できる。また、除霜運転中等の冷気の供給が少ない場合、背面パネル３０からの輻射熱によって、冷蔵室２内の温度が上昇することを抑制することができる。
【００２４】
最下段空間２１には、左から順に、冷凍室３の製氷皿に製氷水を供給するための製氷水タンク２２，デザートなどの食品を収納するための収納ケース２３，室内を減圧して食品の鮮度保持及び長期保存するための減圧貯蔵室２４が設置されている。減圧貯蔵室２４は、冷蔵室２の横幅より狭い横幅を有し、冷蔵室２の側面に隣接して配置されている。
【００２５】
製氷水タンク２２及び収納ケース２３は、左側の冷蔵室扉６の後方に配置されている。
【００２６】
これによって、左側の冷蔵室扉６を開くのみで、製氷水タンク２２及び収納ケース２３を引き出すことができる。また、減圧貯蔵室２４は、右側の冷蔵室扉６の後方に配置されている。これによって、右側の冷蔵室扉６を開くのみで、減圧貯蔵室２４の蓋６０を引き出すことができる。また、減圧貯蔵室２４の内部には、食品を載置する減圧貯蔵室容器６０ａが設けられている。減圧貯蔵室容器６０ａは、蓋６０と係合しており、蓋６０の引き出し動作に伴って、前方に引き出される。すなわち、左側の冷蔵室扉６、若しくは右側の冷蔵室扉６を開くのみで、所望の食品を取り出したり、製氷水タンク２２の水の補充や交換をしたりできるので、必要以上に冷蔵室２の冷気が庫外に漏れることを防止出来る。
【００２７】
なお、製氷水タンク２２及び収納ケース２３は、左側の冷蔵室扉６の最下段の扉ポケット２７の後方に位置することとなり、減圧貯蔵室２４は右側の冷蔵室扉６の最下段の扉ポケット２７の後方に位置することとなる。ここで、冷却器１５によって冷却されて冷蔵室２へ送られた冷気は、減圧貯蔵室２４の周囲を通って減圧貯蔵室２４の内部を間接冷却するようになっている。
【００２８】
製氷水タンク２２の後方には、製氷水ポンプ２８が設置されている。収納ケース２３の後方で且つ減圧貯蔵室２４の後部側方の空間には、減圧貯蔵室２４を減圧するための減圧装置の一例である負圧ポンプ２９が配置されている。負圧ポンプ２９は、減圧貯蔵室２４の側面に設けられたポンプ接続部に導管を介して接続されている。
【００２９】
減圧貯蔵室２４は、食品出し入れ用である前方開口４０ｆを有する箱状の減圧貯蔵室本体４０と、減圧貯蔵室本体４０の前方開口４０ｆを開閉する蓋６０と、食品を収納して蓋６０に係合して出し入れする減圧貯蔵室容器６０ａとを備えて構成されている。蓋６０で減圧貯蔵室本体４０の前方開口４０ｆを閉じることにより、減圧貯蔵室本体４０と蓋６０とで囲まれた空間が減圧される、低圧空間として形成される。減圧貯蔵室容器６０ａは、蓋６０の背面側に取り付けられ、蓋６０の移動に伴って前後に移動可能である。また、蓋６０と減圧貯蔵室本体４０の前方開口４０ｆとの間には、蓋６０を閉じた場合に、減圧貯蔵室２４の内部と外部との気体の移動を抑制する効果を高めるために、シール部材Ｓが設けられる。
【００３０】
減圧貯蔵室２４は、負圧ポンプ２９により、内部の空気が吸引され、大気圧よりも低い気圧、一例として０.８気圧（８０ｋＰａ）等に減圧される気体調節室である。すなわち、減圧貯蔵室２４は、食品の酸化防止，野菜類の鮮度維持等に特別な空気雰囲気を醸成している。
【００３１】
また、図３に示すように、減圧貯蔵室２４には、上面にリブ４０ｓが突起として設けられている。これにより、減圧貯蔵室２４とその直上にある貯蔵棚２０との間は、適度な隙間を設けた状態で支持される構成である。減圧貯蔵室２４の後部には、冷蔵室２の冷気の吸気口（図示せず）が設けられ、減圧貯蔵室２４周囲の空気を吸引して冷気が流れることで、減圧貯蔵室２４を間接的に冷却する。
【００３２】
また、減圧貯蔵室２４は、前方開口を有し、扁平である奥方に長い略直方体状の減圧貯蔵室本体４０と、前方および後方に移動して前方開口を開閉する蓋６０とにより、外周壁が形成されている。換言すると、減圧貯蔵室本体４０は箱状で一体に形成されている。具体的に、ＡＢＳ（アクリロニトリル，ブタジエン，スチレンを含む樹脂），ＡＳ（アクリロニトリル，スチレンを含む樹脂）等を用いて樹脂成形され、両側面壁４０ａ，４０ｂ，底面壁４０ｃ，後面壁４０ｄ、および上面壁４０ｅ、を有した前面を開口した形状に形成されている。
【００３３】
すなわち、減圧貯蔵室２４に貯蔵物を出し入れするために、開閉する蓋６０が設けられている。さらに、減圧貯蔵室本体４０の外面には、断面係数を増加し強度向上を図る補強リブが、直線状又は格子状に立設されている。なお、補強リブの形状はこれらに限らず、減圧貯蔵室本体４０の断面係数を増加し強度向上を図るものであればよい。
【００３４】
なお、減圧貯蔵室２４の上壁４０ｅは、一例として強化ガラスで構成すれば、前述の補強リブ等を設けることなく、平面形状とすることができる。これにより内部の視認性が向上する。
【００３５】
減圧貯蔵室本体４０の両側方には、支軸６０ｓが設けられている。支軸６０ｓ廻りに開閉ハンドル７０が回動自在に支持される。また、蓋６０には、差圧抜き弁Ｖが設けられている（図４参照）。
【００３６】
この開閉ハンドル７０を、使用者が把持して、蓋６０の開閉操作および蓋６０の閉塞時のロックが行われるとともに、差圧抜き弁Ｖの開閉が行われる。
【００３７】
なお、減圧貯蔵室２４が、負圧ポンプ２９によって減圧された場合、減圧貯蔵室２４の外部の大気圧と、減圧貯蔵室２４の内部の減圧された圧力との差圧によって蓋６０に加わる荷重が大きくなる。これにより、直接、蓋６０を開放するためには使用者は相当の力を要することになる。
【００３８】
そこで、差圧抜き弁Ｖを開くことによって、蓋６０の内外空間を挿通させ、内外圧力差を無くし差圧による荷重を解消し、蓋６０を容易に開くことができるようにしている。
【００３９】
減圧貯蔵室容器６０ａに食品を載せて蓋６０を閉じると、減圧貯蔵室２４の前方開口と蓋６０との間の気体の移動が抑制される。そして、冷蔵室扉６が閉じられてドアスイッチ（図示せず）がオンになると、負圧ポンプ２９が駆動され、減圧貯蔵室２４が大気圧より低い状態に減圧される。これにより、減圧貯蔵室２４内の酸素濃度が低下する。すなわち、減圧貯蔵室２４の酸素濃度が低下することで、食品中の栄養成分の劣化を防止することができる。
【００４０】
次に、減圧貯蔵室２４の具体的な構成について説明する。減圧貯蔵室２４の内壁、すなわち食品等を保存する減圧貯蔵空間を形成する内壁面には、光触媒が設けられている（図示せず）。減圧貯蔵室２４の外側には、紫外線を含む光を照射する光源８０，８１が配置されている。
【００４１】
ここで、光触媒作用について説明する。光触媒は、紫外線を照射することで、光触媒反応が起きる。そして、空気中の酸素及び水を分解して、反応性の高いラジカルを生成する。以下、酸素のラジカル生成反応式を「化１」に、水のラジカル生成反応式を「化２」に夫々示す。
【００４２】
〔化１〕Ｏ2→Ｏ-，Ｏ・，Ｏ2-，Ｏ2・
〔化２〕Ｈ2Ｏ→Ｏ-，Ｏ・，Ｏ2-，Ｏ2・，ＯＨ・，ＯＨ-
【００４３】
化学式「化１」，「化２」を比較すると、水を分解した場合のほうがラジカルの種類が多い。そうすると、光触媒反応は、水分の多い雰囲気においてラジカルを多く発生させる。したがって、光触媒は水分の多い雰囲気、すなわち、高湿雰囲気のほうが、臭気成分の分解や雑菌の除去に有効に作用する。
【００４４】
ところで、蓋６０が閉じられて減圧貯蔵室２４内が減圧された場合、減圧貯蔵室２４の中に収納された食品から、僅かに水分が蒸発する。そうすると、減圧貯蔵室２４の内部雰囲気は、湿度がほぼ１００％になる。
【００４５】
したがって、減圧貯蔵室２４内部に光触媒を加工することにより、光触媒作用で効果的に減圧貯蔵室２４内の臭気の分解や雑菌の除去ができる。
【００４６】
次に、光源８０，８１について、図５を用いて説明する。図５は、光照射装置の断面模式図である。
【００４７】
１０１は、ＬＥＤの実装基板である。１０２は、発光ダイオード（以下、「ＬＥＤ」という）である。ＬＥＤ１０２は、実装基板１０１に設けられる。１０３は、ＬＥＤを覆うカバーである。カバー１０３は、ＬＥＤ１０２の光を透過する光透過性の材料で形成される。１０４は、実装基板１０１，ＬＥＤ１０２、及びカバー１０３を支持する支持部材である。支持部材１０４は、ネジ等の係止手段１０５によって、冷蔵室２内に設けられる。なお、ＬＥＤ１０２は、減圧貯蔵室２４内部に加工された光触媒面を照射する角度に設けられる。
【００４８】
減圧貯蔵室本体４０の開閉ハンドル７０は、光を透過する物質、一例として樹脂又はガラス等で構成されている。開閉ハンドル７０の内面、すなわち食品を保存する減圧貯蔵空間側の面には、酸化チタン又は酸化亜鉛が焼成又は塗布されている。そして、光源８０は、この開閉ハンドル７０を照射するように設けられている。
【００４９】
また、蓋６０は、光を透過する物質、一例として樹脂又はガラス等で構成されている。蓋６０の内面、すなわち、食品を保存する減圧貯蔵空間側の面には、酸化チタン又は酸化亜鉛が添加又は塗布されている。そして、光源８１は、この蓋６０を照射するように設けられている。
【００５０】
この構成により、減圧貯蔵室２４は、光源８０によって後方から，光源８１によって前方から照射される。これにより、減圧貯蔵室２４の蓋６０を開くことなく、すなわち減圧解除することなく、内部の視認性を向上することができる。
【００５１】
次に、図６を用いて光源８０，８１の照射条件と臭気成分の分解効率について行った試験結果を説明する。図６は、光照射時間と臭い成分ガス（メチルメルカプタン）の残存率との関係を示す図である。
【００５２】
実験条件は、減圧貯蔵室２４を用いて、前述した光触媒を加工した蓋６０に、光源８１を連続照射した場合とパルス照射した場合とで、容器内に充填したメチルメルカプタン濃度を経時的に測定した。すなわち、連続照射の場合とパルス照射の場合とで、濃度の減衰速度から脱臭効果について比較検討した。ここで、パルス照射とは、照射時間（ＯＮ時間）を０.５ミリ秒〔ms〕，非照射時間（ＯＦＦ時間）を０.５msとしてパルス照射した場合である。
【００５３】
なお、図６において、縦軸は、臭い成分ガスの残存率をパーセント〔％〕表示し、横軸は、照射開始からの経過時間〔分〕を示す。
【００５４】
試験の結果（図６参照）、光源８１を連続照射した場合よりも、パルス照射した場合のほうが、メチルメルカプタンの残存率が小さくなることが分かった。これにより、パルス照射することで、減圧貯蔵室２４内の脱臭効果を向上できることがわかった。
【００５５】
これは、次の理由による。すなわち、光源８１を連続照射する場合、光触媒反応によるラジカル生成が連続的に起こる。しかしながら、減圧貯蔵室２４内には、空気を循環する手段が無く、光触媒表面へのメチルメルカプタンの吸着が阻害されるためである。
【００５６】
これに対し、パルス周期で照射する場合において、光を照射しないとき（非照射時間（ＯＦＦ時間））、メチルメルカプタンが光触媒に吸着する。そして、光を照射するとき（照射時間（ＯＮ時間））、吸着したメチルメルカプタンが光触媒作用で分解される。すなわち、光触媒表面がパルス周期に合わせてリフレッシュされ、この繰り返しが効率的に行われるためである。
【００５７】
以上、説明したように、送風手段を有さない減圧貯蔵室２４内に光触媒を設け、減圧貯蔵室２４外部からパルス照射することで、減圧貯蔵室２４内の脱臭除菌を効率的に行うことができる。
【図面の簡単な説明】
【００５８】
【図１】本発明の一実施形態の冷蔵庫の中央縦断面図である。
【図２】図１の冷蔵室の最下段空間部分の断面斜視図である。
【図３】減圧貯蔵室の蓋を閉じた状態の外観斜視図である。
【図４】減圧貯蔵室本体の蓋を開いた状態の斜視図である。
【図５】光照射装置の断面模式図である。
【図６】光照射時間と臭い成分の残存率との関係を示す図である。
【符号の説明】
【００５９】
２４  減圧貯蔵室
４０  減圧貯蔵室本体
６０  蓋
６０ａ  減圧貯蔵室容器
７０  開閉ハンドル
８０，８１  光源
１０１  実装基板
１０２  ＬＥＤ
１０３  カバー
１０４  支持部材
１０５  係止手段
【図１】
2010121834.tif 000003
【図２】
2010121834.tif 000004
【図３】
2010121834.tif 000005
【図４】
2010121834.tif 000006
【図５】
2010121834.tif 000007
【図６】
2010121834.tif 000008